(57)【要約】  ハイブリッド安定化特徴を有するトーリックコンタクトレンズのようなコンタクトレンズが開示される。このレンズは、レンズ端、垂直子午線、水平子午線、上領域(a superior region)、下領域(an inferior region)、光学ゾーン、プリズムバラストゾーン、及びバラスト周囲ゾーンを含み、ここで、コンタクトレンズは、光学ゾーンとレンズ端との間に配置されたディンプルゾーンを有し、下の垂直子午線を中心とする。
2014515503.tif 000002
【特許請求の範囲】
【請求項１】
レンズ端、垂直子午線、水平子午線、上領域（a superior region）、下領域（an inferior region）、光学ゾーン、プリズムバラストゾーン、及びバラスト周囲ゾーンを含むコンタクトレンズであって、コンタクトレンズは、光学ゾーンとレンズ端との間に配置されたディンプルゾーンを有し、コンタクトレンズは下の(inferior)垂直子午線を中心とする、コンタクトレンズ。
【請求項２】
ディンプルゾーンはバラスト周囲ゾーン中にある、請求項１に記載のコンタクトレンズ。
【請求項３】
ディンプルゾーンは、下の（inferior）垂直子午線を中心として、約５〜約４５度にわたる、請求項１に記載のコンタクトレンズ。
【請求項４】
ディンプルゾーンは、下の（inferior）垂直子午線を中心として、約５〜約２０度にわたる、請求項１に記載のコンタクトレンズ。
【請求項５】
ディンプルゾーンは、下の（inferior）垂直子午線を中心として、約２５〜約３５度にわたる、請求項１に記載のコンタクトレンズ。
【請求項６】
バラスト周囲ゾーンは、約６０度にわたる、請求項１に記載のコンタクトレンズ。
【請求項７】
バラスト周囲ゾーンは、約４０度にわたる、請求項１に記載のコンタクトレンズ。
【請求項８】
バラスト周囲ゾーンは、約２０度にわたる、請求項１に記載のコンタクトレンズ。
【請求項９】
ディンプルゾーンは、約２５〜約４００μｍの厚さを有する、請求項１に記載のコンタクトレンズ。
【請求項１０】
ディンプルゾーンは、約５０〜約２５０μｍの厚さを有する、請求項１に記載のコンタクトレンズ。
【請求項１１】
ディンプルゾーンは、約７０〜約２２０μｍの厚さを有する、請求項１に記載のコンタクトレンズ。
【請求項１２】
バラスト周囲ゾーンは、約１００〜約５００μｍの最大厚さを有する、請求項１に記載のコンタクトレンズ。
【請求項１３】
バラスト周囲ゾーンは、約２００〜約４００μｍの最大厚さを有する、請求項１に記載のコンタクトレンズ。
【請求項１４】
バラスト周囲ゾーンは、約２４０μｍの最大厚さを有する、請求項１に記載のコンタクトレンズ。
【請求項１５】
光学ゾーンとレンズ端との間に配置され、かつプリズムバラストゾーンとバラスト周囲ゾーンとの間に配置された、プリズムバラスト／バラスト周囲混合ゾーンをさらに含む、請求項１に記載のコンタクトレンズ。
【請求項１６】
プリズムバラスト／バラスト周囲混合ゾーンは、約１度〜約４０度にわたる、請求項１５に記載のコンタクトレンズ。
【請求項１７】
プリズムバラスト／バラスト周囲混合ゾーンは、約５度〜約２０度にわたる、請求項１５に記載のコンタクトレンズ。
【請求項１８】
プリズムバラスト／バラスト周囲混合ゾーンは、約１０度にわたる、請求項１５に記載のコンタクトレンズ。
【請求項１９】
プリズムバラスト／バラスト周囲混合ゾーンは、垂直子午線の周りに対称である、請求項１５に記載のコンタクトレンズ。
【請求項２０】
プリズムバラスト／バラスト周囲混合ゾーンは、１時と５時の間に位置する、請求項１９に記載のコンタクトレンズ。
【請求項２１】
プリズムバラスト／バラスト周囲混合ゾーンは、２時と４時の間に位置する、請求項１９に記載のコンタクトレンズ。
【請求項２２】
プリズムバラスト／バラスト周囲混合ゾーンは、３と４時の間に位置する、請求項１９に記載のコンタクトレンズ。
【請求項２３】
下の（inferior）垂直子午線から±３０度で開始する時、約２０度にわたる最大バラスト周囲厚さを有する、請求項１９に記載のコンタクトレンズ。
【請求項２４】
レンズ端、垂直子午線、水平子午線、上領域(a superior region)、下領域(an inferior region)、後表面、反対の前表面、光学ゾーン（後光学ゾーンと前光学ゾーンとを含む）、プリズムバラストゾーン、バラスト周囲ゾーン、及び光学ゾーンとレンズ端との間に配置されたプリズム／バラスト周囲ゾーンを含むコンタクトレンズであって、コンタクトレンズは、光学ゾーンとレンズ端との間に配置されたディンプルゾーンを有し、コンタクトレンズは下の(inferior)垂直子午線を中心とし、さらに、バラスト周囲ゾーンは約２０度にわたり、約２４０μｍの最大厚さを有し、プリズム／バラスト周囲ゾーンは約１０度にわたり、３〜４時との間に配置され、ディンプルゾーンは、下の(inferior)垂直子午線を中心に約２５〜約３５度にわたり、約７０〜約２２０μｍの厚さを有する、コンタクトレンズ。
【発明の詳細な説明】
【技術分野】
【０００１】
本発明は一般に、ハイブリッド安定化特徴を有するコンタクトレンズに関する。
【背景技術】
【０００２】
トーリック光学ゾーンを有するコンタクトレンズ（一般に「トーリックコンタクトレンズ（toric contact lenses）」と呼ばれる）は、非点収差（astigmatism）が引き起こす眼の屈折異常を補正するために使用される。トーリック光学ゾーンは、非点収差を補償する円筒補正（cylindrical correction）を提供する。視野補正を必要とする非点収差は、例えば、通常近視又は遠視のような他の屈折異常と関連しているため、トーリックコンタクトレンズは、一般に近視性非点収差又は遠視性非点収差を補正するための球面補正（spherical correction）にも処方される。トーリック表面は、後方レンズ面（「裏面トーリックレンズ」を達成するために）又は前方レンズ表面（「前表面トーリックレンズ」を形成するために）のいずれかに形成される。
【０００３】
球面コンタクトレンズは眼の上で自由に回転することができる一方、トーリックコンタクトレンズは、トーリックゾーンの円筒軸が一般に非点収差の軸と整列されたままとなるように、眼の上でのレンズの回転を抑制するための安定化構造を有する。一般に安定化構造は、安定化を提供するために他の部分よりも厚い（又は薄い）レンズ周辺の１つ又はそれ以上の部分を含むことができる。例えば、バラストは、レンズが眼の中に挿入された時に、下向きの位置を取ることができる厚い部分であり、レンズが眼の上でその位置をとる時、レンズのバラスト軸は垂直方向に延びる。他の安定化構造は、当技術分野で知られている。安定化構造の構造体に関係なく、レンズが眼の上のその位置をとる時に上下方向に延びる軸は、本明細書においてバラスト軸と呼ばれるであろう。
【０００４】
プリズムバラスト法の性質は、レンズの頂点を水平の子午線から下に移動させることである。伝統的なプリズムバラストレンズでは、全体的により大きな前方光学ゾーンの三日月形の部分が、後部光学ゾーンの外側に位置する。前方光学ゾーンのこの三日月形の部分は、光学ゾーンの中で最も劣る部分であり、そのためＤｋ／ｔと快適性が低下する。
【０００５】
トーリックコンタクトレンズは、トーリック光学ゾーンの円筒軸と安定化構造の配向との選択された関係（オフセットと呼ぶ）をもって製造される。この関係は、円筒軸がバラスト子午線からオフセットされる度数として表される。トーリックコンタクトレンズはまた、対応する回転安定化構造（例えば、コンタクトレンズのプリズムバラスト）によって決定される、水平子午線に対してトーリック表面の球面度数子午線の選択された配向をもって製造される。配向は、本明細書において角度オフセット（以下、単に軸という）と呼ばれる。例えば、この関係は、球面度数子午線が、バラストによって決定されるレンズの水平子午線から角度的にずれている程度の数として表現することができる。従って、トーリックコンタクトレンズの処方は、一般に10度から180度の範囲で１０度単位の増分で提供されるトーリックレンズによるオフセットを特定する。
【０００６】
トーリックコンタクトレンズでは、光学ゾーンは非点収差を補償するために円筒矯正を提供する。得られる光学ゾーンは、球面度数子午線と円筒度数子午線を有する。上記子午線のそれぞれの配向は、従来のコンタクトレンズの処方を参照することにより最もよく理解される。−３．００／−１．２５の処方では、球面度数子午線は−３．００ジオプトリーに等しい度数を有する子午線であり、円筒度数子午線は−４．２５ジオプターに等しい度数を持つ子午線である。＋３．００／−１．２５の処方では、球面度数子午線は＋３．００ジオプターに等しい度数を持つ子午線であり、円筒度数子午線は＋１．７５ジオプターに等しい度数を持つ子午線である。
【０００７】
回転安定性は、下側トランケーション（inferior truncation）、二重トランケーション、薄いゾーン（また「二重スラブオフ」とも呼ばれる）とプリズムウェッジプロファイルを含む多くのバラスト設計を用いて達成することができる。これらのバラスト設計は、個別に又は組み合わせて使用することができる。これらのバラスト設計の1つの共通の特徴は、回転安定性を達成するために、レンズの異なる厚さの領域を使用することである。例えば「スラブオフ」設計の場合、レンズの上部及び底部は、それらがまぶたの下に配置される時、それらがまぶたによりきちんと保持されるように、薄くなっている。同時に、レンズの厚い部分はまぶたの間に配置され、これらはまぶたに隣接してきちんと維持される。
【０００８】
多くの点で完全に満足できるものであるが、トーリックレンズのバラスト設計にはさらなる種類の必要性がある。この必要性は、トーリックレンズのためのバラスト設計の追加のタイプの必要性が依然として存在する。この必要性は、特に伝統的にバラストされたレンズよりも、回転の回復と主視線の配向（ＰＧＯ）の両方で、優れた光学と、改善された快適性と、良好な目の向きとを有するトーリックレンズを提供するための努力に見られる。
【発明の概要】
【課題を解決するための手段】
【０００９】
本発明のある態様において、レンズ端、垂直子午線、水平子午線、上領域(a superior region)、下領域(an inferior region)、光学ゾーン、プリズムバラストゾーン、及びバラスト周囲ゾーンを含むコンタクトレンズであって、コンタクトレンズは、光学ゾーンとレンズ端との間に配置されたディンプルゾーンを有し、コンタクトレンズは下の垂直子午線を中心とする、コンタクトレンズが提供される。
【００１０】
本発明の第２の態様において、レンズ端、垂直子午線、水平子午線、上領域、下領域、後表面。反対の前表面、光学ゾーン、プリズムバラストゾーン、バラスト周囲ゾーン、及び光学ゾーンとレンズ端との間に配置されたプリズム／バラスト周囲ゾーンを含むコンタクトレンズであって、コンタクトレンズは、光学ゾーンとレンズ端との間に配置されたディンプルゾーンを有し、コンタクトレンズは下の垂直子午線を中心とするコンタクトレンズが提供される。
【００１１】
本発明の第３の態様において、レンズ端、垂直子午線、水平子午線、上領域、下領域、後表面、反対の前表面、光学ゾーン（後光学ゾーンと前光学ゾーンとを含む）、プリズムバラストゾーン、バラスト周囲ゾーン、及び光学ゾーンとレンズ端との間に配置されたプリズム／バラスト周囲ゾーンを含むコンタクトレンズであって、コンタクトレンズは、光学ゾーンとレンズ端との間に配置されたディンプルゾーンを有し、コンタクトレンズは下の垂直子午線を中心とし、さらに、バラスト周囲ゾーンは約２０度にわたり、約２４０μｍの最大厚さを有し、プリズム／バラスト周囲ゾーンは約１０度にわたり、３〜４時との間に配置され、ディンプルゾーンは、下の垂直子午線を中心に約２５〜約３５度にわたり、約７０〜約２２０μｍの厚さを有するコンタクトレンズが提供される。
【００１２】
ハイブリッド安定化特徴を有する本発明のコンタクトレンズは、有利には、伝統的にバラストされたレンズよりも、回転の回復とＰＧＯの両方で、優れた光学と、改善された快適性と、良好な目の向きとを提供すると考えられる。
【図面の簡単な説明】
【００１３】
本発明の例示的非限定的な例が、添付の図面を参照して説明されるが、ここで同じ番号は、異なる図面中の同じか又は類似の成分を示すために使用される。
【図１】本発明の１つの態様のコンタクトレンズの平面図である。
【図２】本発明の１つの態様のコンタクトレンズの例である。
【発明を実施するための形態】
【００１４】
本明細書に記載の寸法は、完成されたレンズの寸法を示す。例えば本発明のトーリックコンタクトレンズは完全に硬化されており、親水性材料を含む態様では、レンズは完全に水和されている。
【００１５】
本発明は、安定化されたコンタクトレンズ、特に非点収差の円筒補正を有するコンタクトレンズを提供する。本発明はまた、レンズを回転させて安定させるためにまぶたの瞬き動作と相互作用する、その上に厚くしたゾーンを有するコンタクトレンズを提供する。回転安定性は、軸対称ではないすべてのコンタクトレンズに有用である。例えば、トーリックレンズの回転方向は、適切な補正のために維持しなければならない。しかし回転安定性はまた、他の異常を補正するような他の特殊なレンズにとっても望ましい場合があることを理解すべきである。
【００１６】
以下の説明では、レンズの略平面図を参照して、本発明のコンタクトレンズの多くの表面と厚さが説明されるであろう。コンタクトレンズは典型的には、基礎となる球面曲率を有し、前表面が凸状であり、後表面が凹状である。換言すればレンズ本体は全体的な球面曲率を有し、外側に面する凸状の前部面と反対の角膜に接触するように適合された凹状後表面を有する。様々な表面と光学ゾーンは次に、その基礎となる球から画定される。簡単にするために、ここに示された図は平坦化され、基礎となる球は除去されている。こうして、本発明の具体的な表面及び厚さをより明確に示すことができるように、基礎となる球面曲率に対応する濃淡の線は除去されている。厚さは、前表面と後表面の間の距離として定義される。
【００１７】
本発明の例であるコンタクトレンズ１０は、このように、平坦化されて濃淡無しで、その上の種々のゾーンを示すように図１に示される。レンズ１０は、適切な軟質又は硬質材料のレンズ本体を含む。ソフトコンタクトレンズは、典型的には、ヒドロキシエチルメタクリレート、シリコーンゴム、シリコーンハイドロゲル、ウレタン、などの親水性材料で作られている。あるいは、シロキサンアクリレート又はフルオロシロキサンアクリレートなどの硬質ガス透過性材料を使用することができる。
【００１８】
レンズ１０は、垂直子午線Ｙ−Ｙ’、水平子午線Ｘ−Ｘ’、後表面、及び前表面を有する。上領域２６は、水平子午線Ｘ−Ｘ’の上に位置しレンズ端３６までのレンズ１０の部分である。下領域２６は、水平子午線Ｘ−Ｘ’の下に位置しレンズ端３６までのレンズ１０の部分である。レンズ端36は、前表面と後表面の交点を画定する。後表面の光学ゾーン２２はトーリックであり、すなわちこのゾーンは、所望の円筒補正を提供し、球面度数を含むことができるトーリック表面である。トーリック表面は任意の適切な順序の項を使用して画定されてもよいことを理解されたい。光学ゾーンは、球度数、円筒、及び軸を含むレンズの屈折補正を画定する曲率を含む。光学ゾーンは、レンズの処方の軸に応じて、垂直子午線の周りに対称である。当業者には容易に理解されるように、光学ゾーン２２は、円形、ドーナツ形、又は任意の他の適切な形状であってもよい。光学ゾーン２２の外側レンズ全体は、典型的には垂直子午線Ｙ−Ｙ’の周りで対称である。
【００１９】
本発明はさらに、バラスト（例えば、プリズムバラスト、及びペリバラスト）を有するものを含む、回転安定化機構をその上に有するトーリックコンタクトレンズのようなコンタクトレンズに関する。バラストレンズは、まぶたがスライドして一般的にはその光軸を中心にレンズを再配向させる、厚さ勾配を与える。プリズムバラストは、視神経におけるまぶたとの相互作用のためのくさびやテーパーバラストを与え、バラスト周囲は視神経を含まない。
【００２０】
従ってレンズ１０は、光学ゾーン２２の少なくとも一部を含みかつ上領域２６で始まるプリズムバラストゾーン２４を含む。レンズ１０は、光学ゾーン２２とレンズ端部３６との間に配置されかつ下領域３０から始まるバラスト周囲ゾーン２８（また、「周辺バラスト」としても知られる）を含む。プリズムバラストゾーンは、レンズの小さいが重要なプリズムバラストによって画定される。プリズムバラストゾーンは、単一の曲線（図１参照）から構成されてもよいし、複数の曲線で構成されてもよい。当業者は容易に理解するように、プリズムバラストゾーン２４は、光学ゾーン２２の少なくとも一部を含み、上領域２６で始まる。プリズムバラストゾーンは、一般に図１に示されるように、下領域３０内に延びることができる。あるいは、バラスト周囲ゾーン２８は上領域２６内に延びることができる（示していない）。
【００２１】
レンズ１０はさらに、光学ゾーン２２とレンズ端３６との間に配置され、垂直子午線Ｙ−Ｙ’の下の垂直子午線を中心とし、すなわちディンプルゾーン２０はバラスト周囲ゾーン２８内にある。本明細書において用語「ディンプルゾーン」は、ディンプルゾーンに隣接して位置するバラスト周囲ゾーンの厚さより比較的薄い厚さを有するゾーン（すなわち、局所的に薄いゾーン）を意味すると理解されたい（例えば図３に示した白い領域を参照）。ある態様においてディンプルゾーンは、下の垂直子午線を中心として、約５〜約４５度にわたる。ある態様においてディンプルゾーンは、下の垂直子午線を中心として、約５〜約２０度にわたる。ある態様においてディンプルゾーンは、下の垂直子午線を中心として、約２５〜約３５度にわたる。
【００２２】
ディンプルゾーンの厚さは、通常約２５〜約４００μｍの範囲であろう。ある態様において、ディンプルゾーンは、約５０〜約２５０μｍの厚さを有する。ある態様において、ディンプルゾーンは、約７０〜約２２０μｍの厚さを有する。上記したように「ディンプルゾーン」は、ディンプルゾーンに隣接して位置するバラスト周囲ゾーン２８の厚さより比較的薄い厚さを有するゾーンである。従ってある態様において、バラスト周囲ゾーンは約１００〜約５００μｍの最大厚さを有する。ある態様において、バラスト周囲ゾーンは約２００〜約４００μｍの最大厚さを有する。ある態様において、バラスト周囲ゾーンは約２４０μｍの最大厚さを有する。ある態様において、最大バラスト周囲厚さは、下の垂直子午線から±３０度で開始する、約２０度の最大バラスト周囲厚さにわたる。
【００２３】
レンズ１０はさらに、光学ゾーン２２とレンズ端３６との間に配置され、かつプリズムバラストゾーン２４とバラスト周囲ゾーン２８との間に配置された、少なくとも１種のプリズムバラスト／バラスト周囲混合ゾーン３２を含む。混合ゾーンは、垂直子午線Ｙ−Ｙ’に対して対称であり、プリズムバラストゾーン２４がバラスト周囲ゾーン２８に直接隣接していた場合に起きるような、プリズムバラストゾーン２４からバラスト周囲ゾーン２８へのより緩やかな移動を与える。プリズムバラスト／バラスト周囲混合ゾーンは、改良された快適性を着用者に与えると考えられる。ある態様においてプリズムバラスト／バラスト周囲混合ゾーン３２は、約１〜約４５度にわたる。ある態様においてプリズムバラスト／バラスト周囲混合ゾーン３２は約５〜約２０度にわたる。ある態様においてプリズムバラスト／バラスト周囲混合ゾーン３２は約１０度にわたる。
【００２４】
ある態様において、プリズムバラスト／バラスト周囲混合ゾーン３２は、垂直子午線Ｙ−Ｙ’のまわりに対称である。ある態様において、レンズの最も上の領域が１２時にあり、最も下の領域が６時にある時、プリズムバラスト／バラスト周囲混合ゾーン３２はほぼ１時とほぼ５時の間に位置する。ある態様において、プリズムバラスト／バラスト周囲混合ゾーン３２は、ほぼ２時とほぼ４時の間に位置する。ある態様において、プリズムバラスト／バラスト周囲混合ゾーン３２は、ほぼ３時とほぼ４時の間に位置する。
【００２５】
別の態様において、レンズ１０の光学ゾーン２２は、トーリックである後表面の後の光学ゾーン２２ａ（ここでは、後の中心光学ゾーンとも呼ばれる）を含む（図２を参照）。後の光学ゾーンは、光学的に補正される後表面の部分である。さらに図２に示すように、レンズ１０の光学ゾーン２２はさらに、球面度数を有し光学的補正される前の光学ゾーン２２ｂを含む。後の光学ゾーン２２ａは前の光学ゾーン２２ｂと組合わされて、視力が適切に補正される画像を生み出すように適合される。そのような光学ゾーンは、典型的には（必ずしもそうとは限らないが）光学軸のあたりを中心とし、例えば図に示すように、Ｃ’は後の光学ゾーン２２ａの光学ゾーンの中心であり、Ｃ”は前の光学ゾーン２２ｂの光学ゾーンの中心である。図２に示すように、前の光学ゾーン２２ｂは、後の光学ゾーン２２ａと比較して中心から下にずれている。この偏心は、プリズムのバラストを可能にする。さらに本発明は、バラスト周囲にある後の光学ゾーン２２ａと整列されない前の光学ゾーン２２ｂの部分（すなわち、ゾーン２２ｃ）を与える。後の光学ゾーン２２ａと整列する前の光学ゾーン２２ｂの領域は、光学的性能を与える。バラスト周囲ゾーン２２ｃを形成することにより、得られるレンズのさらに改善された快適性が達成されると考えられる。
【００２６】
従って、本発明の概念及び多くの典型的な態様を説明したが、本発明は様々な方法で実施でき、修飾や改良を当業者が容易に思いつくことは当業者には明らかであろう。従って、これらの態様は、限定するものではなく例として提示されている。本発明は、以下の特許請求の範囲及びその同等物によってのみ必要とされる。
【図１】
2014515503.tif 000003
【図２】
2014515503.tif 000004
【国際調査報告】
2014515503.tif 000005
2014515503.tif 000006
2014515503.tif 000007